(57)【要約】【課題】  特定の人が使用中のみ電源が起動される携帯機器を提供する。【解決手段】  携帯機器に付属されているカメラを個人認証システムとして利用する。【選択図】  図１
2007074245.tif 000002
【特許請求の範囲】
【請求項１】
個人認証を行うための認証システムとして、個人の情報を非接触で検出することができる検出手段と、個人の情報を格納する記録手段と、個人を識別することができる識別手段と、携帯機器の負荷に流れる電力を制御する負荷制御手段と、認証時間間隔を制御する認証時間制御手段を有する携帯機器において、前記検出手段から検出した情報と前記記録手段に格納された情報から、前記識別手段により個人認証を行い、前記負荷制御手段により負荷に流れる電力を制御し、携帯機器を使用中は常に前記認証時間制御手段で決められた時間間隔で個人認証を繰り返すことを特徴とした携帯機器。
【発明の詳細な説明】
【技術分野】
【０００１】
本発明は、携帯機器に付属されたカメラ個人認証システムに応用し、特定の人が使用中のみ電源が起動される携帯機器に関するものである。
【背景技術】
【０００２】
セキュリティシステムなどにおける個人認証として、パスワードによるものや、指紋、顔、眼底、音声などによる認証技術が知られている。
また、特開平１０−５１４４１号公報には、使用者の指紋照合を使用中常時行い、指定された使用者しか使用することのできない高度なセキュリティ機能を有する無線通信端末もある。
又、別の従来例としては、特許文献２〜特許文献４をあげることが出来る。
【特許文献１】特開平１０−５１４４１号公報
【特許文献２】特表２００１−５２２０６３号公報
【特許文献３】特開２００２−２８８６７０号公報
【特許文献４】特開２０００−１６５３７８号公報
【発明の開示】
【発明が解決しようとする課題】
【０００３】
しかしながら、従来の携帯機器では、セキュリティの多くは機器を起動する前の個人認証であり、個人が確認できたあとは、その他の人でも機器の操作閲覧が行える。
【０００４】
また、特開平10−51441号公報のように、使用中は常に指紋認証を行う場合では、高度なセキュリティ機能を有するが、使用中は必ず指紋認証部に触れていなければならないという欠点もある。
【０００５】
さらに、多くの個人認証システムの場合、個人認証のために新たな検出装置を付加しなければならないことが多い。
【課題を解決するための手段】
【０００６】
本発明は、次のような手段によって、上述した課題の解決を達成している。
【０００７】
個人認証を行うための認証システムとして、個人の情報を非接触で検出することができる検出手段と、個人の情報を格納する記録手段と、個人を識別することができる識別手段と、携帯機器の負荷に流れる電力を制御する負荷制御手段と、認証時間間隔を制御する認証時間制御手段を有する携帯機器において、前記検出手段から検出した情報と前記記録手段に格納された情報から、前記識別手段により個人認証を行い、前記負荷制御手段により負荷に流れる電力を制御し、携帯機器を使用中は常に前記認証時間制御手段で決められた時間間隔で個人認証を繰り返すことを特徴とした携帯機器を構成することにより、上述した課題を解決する。
【発明の効果】
【０００８】
以上説明した本実施例により、携帯機器に付属されているカメラを個人認証システムとして利用することで、携帯機器に付属されているカメラを有効に活用することができる。また、カメラを利用した個人認証システムは、指紋による個人認証システムとは異なり、非接触で行うことができるので、携帯機器を様々な持ち方で使用可能である。
【０００９】
さらに、一定時間ごとに個人認証を行うことで個人以外の人が使用できない高度なセキュリティを有する携帯機器を実現できる。また、付属のカメラを正規の用途で使用中は、個人認証確認時間を調節することにより、個人認証時間の最適化が行え、携帯機器を有効に使用できるようになる。
【発明を実施するための最良の形態】
【００１０】
以下添付図面に従って、本発明を好適な実施形態に従って詳細に説明する。
【００１１】
（第１の実施形態）
図１は、本発明の携帯機器の構成を示すブロック図である。
【００１２】
図１において、ＣＰＵ（中央演算処理装置）１０１は、本携帯機器の動作を制御する。
【００１３】
また、ＣＰＵ１０１には、ＣＰＵ１０１に電力を供給する電源１０２、負荷１０７へ流れる電力を制御する負荷電源制御部１０３、認証システムを制御する認証システム制御部１０４、入力デバイスであるカメラ１０５、個人認証確認時間を管理するタイマ部１０６、個人認証するための情報やタイマの時間情報が格納されているメモリ１０８、認証システム１１０を起動するための認証システム起動スイッチ１０９が接続されている。
【００１４】
電源１０２は、ＣＰＵ１０１、負荷電源制御部１０３、認証システム１１０に電力を供給する。
【００１５】
負荷電源制御部１０３には、ＣＰＵ１０１、電源１０２、負荷１０７が接続されている。
【００１６】
負荷電源制御部１０３は、ＣＰＵ１０１が個人認証を行えたと確認できた場合に、負荷１０７への電力を供給する。
【００１７】
ここで、負荷１０７は、ＬＣＤ１０８やタッチパネル１０９などのユーザーインターフェース、カードスロット１１０、通信部１１１など携帯機器で行うことができる様々な機能に関するデバイスである。
【００１８】
認証システム１１０は、カメラ１０５、認証システム制御部１０４、認証システム起動スイッチ１０９で構成され、カメラ１０５から得られる情報を利用した顔や眼底などの個人認証システムである。
【００１９】
認証システム制御部１０４には、ＣＰＵ１０１、カメラ１０５、メモリ１０８、認証システム起動スイッチが接続されている。
【００２０】
認証システム制御部１０４は、認証システム起動スイッチ１０９が押されたことをＣＰＵ１０１が確認した場合に、動作を開始する。
【００２１】
認証システム制御部１０４は、カメラ１０５から入力された情報とメモリ１０８に格納されている情報から個人認証を行い、その結果をＣＰＵ１０１に伝える。
【００２２】
カメラ１０５は、携帯端末に撮影目的で付属されたカメラである。
【００２３】
タイマ部１０６は、メモリ１０８に格納された個人認証確認する時間をＣＰＵ１０１に伝える。
【００２４】
メモリ１０８は、ＣＰＵを動作させるプログラム、個人認証するための個人情報、個人認証する時間などが格納されている。
【００２５】
認証システム起動スイッチ１０９は、認証システムを起動させるためのスイッチである。これは、カメラの位置や方向によりスイッチを起動させても、新たに専用のスイッチを設けてもよい。
【００２６】
図２は、ＣＰＵ１０１が機器を動作させるときのフローチャート図である。
【００２７】
電源１０２よりＣＰＵ１０１が電力を供給されると、ＣＰＵ１０１は、メモリ１０８に格納されたプログラムに従い制御を開始する。
【００２８】
ステップＳ２０１において、ＣＰＵ１０１は、認証システム１１０を起動させる認証システム起動スイッチ１０９からの入力がない間は、認証スイッチ１０９待ち状態を維持する。
【００２９】
ステップＳ２０２において、ＣＰＵ１０１は、認証システム起動スイッチ１０９からの入力があった場合、認証システム１１０を起動させるために、電源１０２から認証システム１１０に電力を供給する。
【００３０】
ステップＳ２０３において、ＣＰＵ１０１は、カメラ１０５から入力された情報を検出し、メモリ１０８に格納する。
【００３１】
ステップＳ２０４において、ＣＰＵ１０１は、メモリ１０８に格納された情報を参照する。
【００３２】
ステップＳ２０５において、ＣＰＵ１０１は、メモリ１０８に格納されたカメラ１０５から入力された情報と、Ｓ２０４で参照した個人情報とを比較し、個人であることが確認できた場合、ステップＳ２０６に進み、確認できなかった場合、ステップＳ２０７を行い、ステップＳ２０１に戻る。
【００３３】
ステップＳ２０７において、ＣＰＵ１０１は、負荷電源制御部１０３を制御することにより、携帯機器の電源制御を行う。
【００３４】
電源の制御方法としては、携帯機器の電源をすべてＯＦＦ、負荷１０７のＬＥＤ１０８やタッチパネル１０９のようなユーザーインターフェースに係る電源をＯＦＦするなど、携帯機器の機能や使用状況に合わせて様々な組み合わせが考えられる。
【００３５】
また、使用者に対して認証が行えなかったことを表示したり、音を出したりとなんらかの手段を用いて警告することも考えられる。さらに、個人認証が連続して確認できなかったときや、一定時間認証が行われなかったときなどは、すべての電源をＯＦＦするなどそれに応じた制御を行うことも考えられる。
【００３６】
ステップＳ２０６において、ＣＰＵ１０１は、Ｓ２０５で個人認証が行えたことにより、負荷電源制御部１０３は、電源１０２から負荷１０７へ電力を供給し、携帯機器で行うことができる様々な機能に関するデバイスが使用できるようにする。
【００３７】
ステップＳ２０７において、ＣＰＵ１０１は、タイマ部１０６で設定された時間が経過した後、もう一度ステップＳ２０２に戻り、再び個人認証を行う。
【００３８】
以上説明した本実施例により、携帯機器に付属されているカメラを個人認証システムとして利用することで、携帯機器に付属されているカメラを有効に活用することができる。また、カメラを利用した個人認証システムは、指紋による個人認証システムとは異なり、非接触で行うことができるので、携帯機器を様々な持ち方で使用可能である。
【００３９】
さらに、一定時間ごとに個人認証を行うことで個人以外の人が使用できない高度なセキュリティを有する携帯機器を実現できる。
【００４０】
（第２の実施形態）
本実施の形態は、第１の実施形態に対して、認証時間間隔を携帯機器の使用状況に合わせて最適化する方法について説明する。
【００４１】
なお、本実施形態における携帯機器の構成図、個人認証を行うときのＣＰＵ１０１の動作を示すフローチャートはそれぞれ、図１、図２に示し、第１の実施形態と同じである。
【００４２】
図３は、図１のタイマ部１０６で使用するメモリ１０８に格納されている認証時間テーブル３０１である。
【００４３】
認証時間テーブル３０１は、携帯機器の使用モードと電源の状況に合わせて個人認証をする時間間隔を設定したテーブルである。
【００４４】
この認証時間テーブル３０１により、個人認証後、次に個人認証を行うまでの時間を動作状況や電池電圧に応じて変更することができる。
【００４５】
これにより、例えば個人認証を行うためのカメラ１０５を正規の用途で使用中のときは、認証時間間隔を長くし、重要な個人情報を扱う動作モードのときは認証時間間隔を短くすることで、常に最適なセキュリティを実現することができる。
【００４６】
以上説明した本実施例により、使用状況に合わせて個人認証が行える携帯機器が実現できる。
【図面の簡単な説明】
【００４７】
【図１】本発明の携帯機器構成を示すブロック図である。
【図２】図１のＣＰＵ１０１が、個人認証を行うときの方法の一例である。
【図３】図１のタイマ部で使用するメモリ１０８に格納されている認証時間テーブル３０１の一例である。
【符号の説明】
【００４８】
１０１  ＣＰＵ
１０２  電源
１０３  負荷電源制御部
１０４  認証システム制御部
１０５  カメラ
１０６  タイマ部
１０７  負荷
１０８  メモリ
１０９  認証システム起動スイッチ
１１０  認証システム
【図１】
2007074245.tif 000003
【図２】
2007074245.tif 000004
【図３】
2007074245.tif 000005